(57)【要約】      （修正有）【課題】高齢者または障害者の歩行を補助するための歩行補助器を提供する。【解決手段】支持フレーム１００の前/後方フレーム１２０，１３０は高さ調節が可能で、上部フレーム１１０は幅の調節が可能であり、平地はもちろん、階段のような傾斜路の歩行補助も可能にするだけでなく、地面に形成されている様々な形態の屈曲した部分、即ちポットホールのように離隔された空間が発生した場所でも使用できるようになっており、利便性に優れた効果を示す。【選択図】図１
2018175824.tif 000002
【特許請求の範囲】
【請求項１】
上部フレームと、上記の上部フレームの前側から下方に屈曲した前方フレームと、上記の上部フレーム後側から下方に曲がった後方フレームで構成された支持フレーム；
上記の前方フレームの下側に高さ調節できるように結合し、地面から支持する前方支持台；および
上記の後方フレームの下側に高さ調節できるように結合し、地面から支持する後方支持台；を含めて高さ調節ができるように構成し、
上記の上部フレームは、第１上部バーおよび上記の第１上部バーの内部に摺動できるように結合する第２上部バーで構成され、幅の調節ができるように構成されていることを特徴とする歩行補助器。
【請求項２】
第１項において、
上記の上部フレームの下側には、上記の前／後方フレームで支持する補助フレームがさらに具備されるが、上記の補助フレームは、第１補助バーおよび上記の第１補助バーの内部に摺動できるように結合する第２補助バーで成り立ち、上記の上部フレームのように幅の調節ができるように構成されていることを特徴とする歩行補助器。
【発明の詳細な説明】
【技術分野】
【０００１】
本発明は、高齢者または障害者の歩行を補助するための歩行補助器に関するものであり、より詳細に説明すると高さの調節および幅の調節が可能で、平地はもちろん、階段のような傾斜路を歩行する際に補助を可能とさせるが、地面に形成される様々な形態の屈曲した部分、即ちポットホールのように離隔された空間ができた場所でも使用できるように利便性を最大化させた歩行補助器に関するものである。
【背景技術】
【０００２】
一般的に、高齢者や身体の不自由な患者および障害者たちは、一人での歩行が困難なため、歩行を補助する補助器具を使用して移動する場合が多い。
【０００３】
歩行を補助する代表的な歩行器具として杖と歩行器がある。上記の杖は、通常所定の角度に屈折した棒状の形をなしており、歩行器は一定の高さから両側に延びた「ｎ」字型のフレームで構成され、上部のフレームを把持した状態で歩行できるように構成されているが、上記の上部フレームは、通常高さ調節はもちろん、下部に車輪を取り付けたものも提案されている。これらの歩行補助器は、高齢者人口の増加に伴い持続的に開発・発展しており、そのうち大韓民国特許登録番号10-0843484号（2008.07.03公告）の歩行補助器が代表的である。
【０００４】
この公報を参照すると、従来の歩行補助器は単に平地でのみ使用できるように作られた短所を克服し、階段でも使用できるようにすることによって、従来の歩行補助器と差別性を強調している。この歩行補助器の場合、高さを調節することにより段差が発生する傾斜、即ち階段に対応して使用できるようになっている。
【０００５】
しかし、この歩行補助器または階段の幅が異なるか、地面に形成された様々な形態の屈曲した部分、特にポットホールのように離隔された空間が発生する場所では、使用に制限があるという短所があった。
【発明の概要】
【発明が解決しようとする課題】
【０００６】
本発明は、上記の問題点を解決するために案出されたものであり、高さの調節および幅の調節が可能なため、平地はもちろん、階段のような傾斜路での歩行補助を可能にするだけでなく、地面に形成された様々な形の屈曲した部分、即ちポットホールのように離隔された空間が発生した場所でも使用でき、利便性を最大化させた歩行補助器を提供する。
【課題を解決するための手段】
【０００７】
上記の目的を達成するため、本発明は上部フレームと、上記の上部フレームの前側から下の方向に曲がった前方フレームと、上記の上部フレームの後ろ側から下の方向に曲がった後方フレームで構成された支持フレーム：上記の前方フレームの下側に、高さ調節ができるように結合し、地面から支持する前方支持台：および上記の後方フレームの下側に高さ調節ができるように結合し、地面から支持する後方支持台;を含めて、高さ調節ができるように構成され、上記の上部フレームは、第１上部バーおよび上記の第１上部バーの内部に摺動できるように結合した第２上部バーで構成され、幅の調節ができるように構成されていることを特徴とする。
【０００８】
望ましく上記の上部フレームの下側には、上記の前／後方フレームを支持する補助フレームがさらに具備されているが、上記の補助フレームは、第１補助バーおよび上記の第１補助バーの内部に摺動できるように結合した第２補助バーで成り立ち、上記の上部フレームのように幅の調節ができるように構成されていることを特徴とする。
【発明の効果】
【０００９】
本発明によると、支持フレームの前／後方フレームは高さ調節が可能で、上部フレームは幅の調節が可能であり、平地はもちろん、階段のような傾斜路の歩行補助も可能なだけでなく、地面に形成された様々な形態の屈曲した部分、即ちポットホールのように離隔された空間が発生した場所でも使用でき、利便性に優れた効果を発揮する。
【図面の簡単な説明】
【００１０】
【図１】図１は、本発明の望ましい一実施例による歩行補助器を示した斜視図。
【図２】図２は、本発明の望ましい一実施例による歩行補助器を示した分解斜視図。
【図３】図３は、本発明の望ましい一実施例による歩行補助器の結合関係を示したＡ−Ａ線断面図。
【図４】図４の「ア」および「イ」は、本発明の望ましい一実施例による歩行補助器の使用状態を示した概略側面図。
【発明を実施するための形態】
【００１１】
以下、添付した図面を参照に、本発明の歩行補助器をより詳細に説明することにする。
【００１２】
これに先立ち、本明細書および請求の範囲に使用される用語や単語は通常または辞典的な意味に限定して解釈されてはならず、発明者は自身の発明を最善の方法により説明するために用語の概念を適切に定義することができるという原則に立脚して、本発明の技術的思想に符合する意味と概念に基づいて解釈されるべきである。
【００１３】
したがって、本明細書に記載された一実施例と図面に図示された構成は、本発明の最も望ましい一実施例に過ぎず、本発明の技術的思想をすべて代弁するものではないため、本出願時点において、これらは代替可能な様々な均等物や変形例があり得ることを理解する必要がある。
【００１４】
図１は、本発明の望ましい一実施例による歩行補助器を示した斜視図であり、図２は、本発明の望ましい一実施例による歩行補助器を示した分解斜視図であり、図３は、本発明の望ましい一実施例による歩行補助器の結合関係を示したＡ−Ａ線断面図である。
【００１５】
図１〜３を参照すると、本発明の歩行補助器は大きく分けて支持フレーム（１００）、前方支持台（２００）および後部支持台（３００）を含めて構成されている。
【００１６】
まず、上記の支持フレーム（１００）は、水平方向に形成された上部フレーム（１１０）、上記上部フレーム（１１０）前側から下方に屈曲した前方フレーム（１２０）および上記の上部フレーム（１１０）後側から下方に曲がった後方フレーム（１３０）で構成されるが、上記の支持フレーム（１００）は、内部が中空形態のパイプと理解してよい。一方、上記の上部フレーム（１１０）は、第１上部バー（１１２）および上記の第１上部バー（１１２）の内部に摺動できるように結合する第２上部バー（１１４）で構成され、前後方向に幅の調節ができるように構成されている。そして、上記の前方および後方フレーム（１２０，１３０）の下側には、長さ方向に高さ調節穴（１２２，１３２）が多数形成されている。
【００１７】
この際、上記の上部フレーム（１１０）には図に示していないが、幅を調節した状態で固定させるための固定手段をさらに備えることができるが、この固定手段はトレッキングポールはもちろん、従来の歩行補助器でも広く知られているところ、別途の上述は省略することにする。ただし、従来の歩行補助器またはトレッキングポールのような場合に備えられた固定手段は、高さ調節を固定させるために提案されたもので、本願のように幅の調整を固定させるために提案されたものではないことを理解する必要がある。
【００１８】
続いて、上記の上部フレーム（１１０）下側から上記の前方および後方フレーム（１２０，１３０）に支持されて堅牢性を向上させるための補助フレーム（１４０）がさらに備えられる。上記の補助フレーム（１４０）もまた上記の上部フレーム（１１０）のように、幅の調節ができるように構成するために、第１補助バー（１４２）および上記の第１補助バー（１４２）の内部に摺動できるように構成されている第２補助バー（１４４）からなっている。
【００１９】
この時、上記の第１補助バー（１４２）には、幅の方向に多数の幅調節穴（１４３）があり、上記の第２補助バー（１４４）には、上記の第１補助バー（１４２）の内部から幅調節穴（１４３）を通じて外部に突出した突出棒（１４５）があり、幅を調節した状態を固定させる。上記の突出棒（１４５）は、弾性スプリング（１４６）によって支持されているため、上記の突出棒（１４５）を押して摺動させると、段階的に幅の調節ができるように構成されている。これらの幅調節手段を上記の上部フレーム（１１０）にも同様に適用が可能なことはあまりにも当然であり、この幅調節手段の構成も、これにとどまらず、公示した様々なタイプも適用が可能な点も認めるべきである。
【００２０】
次に、上記の前方支持台（２００）は、上記の前方フレーム（１２０）下側から内部に摺動できるように結合され、高さの調節が可能な状態で地面に支持されるもので、高さ調節した状態で固定させるために、上記の前方支持台（２００）の上側には、弾性スプリング（２２２）に支持された突出棒（２２０）を備え、上記の前方フレーム（１２０）に形成された高さ調節穴（１２２）から外部に突出するように構成されている。この高さ調節手段は、前述の幅調節手段と同じ構成となっており、さらに詳細な説明は省略することにする。
【００２１】
最後に、上記の後方支持台（３００）は、上記の前方支持台（２００）と同じ構成で、別途の上述は省略することにするが、上記の後方フレーム（１３０）の下側から内部に摺動できるように結合し、高さ調節できるようになっている。
【００２２】
一方、上記の前／後方支持台（２００，３００）の下面には、安定感があるように地面から支持つまり、自立することができるようにするために、４つの支持脚（２１０，３１０）が備えられているが、この支持脚（２１０，３１０）は、個数を限定するものではないことを明らかにする。
【００２３】
このように、本願の歩行補助器は前方および後方フレーム（１２０，１３０）にそれぞれ前／後方支持台（２００，３００）が備えられており、それぞれ高さ調節できるように構成されているのはもちろん、上部フレーム（１１０）および補助フレーム（１４０）は、幅の調節ができるように構成されていることを認めるべきである。
【００２４】
上記のように構成された本発明の歩行補助器は、下記のように様々な場所に使用されて歩行を補助することができるようになる。
【００２５】
図４「ア」および「イ」は、本発明の望ましい一実施例による歩行補助器の使用状態を示した概略側面図である。
【００２６】
まず「ア」を参照すると、使用者が階段を上がるために、階段の前に位置した後、前方フレーム（１２０）下側に結合した前方支持台（２００）の長さを短くして、前方支持台（２００）は上の階段に、後方支持台（３００）は下の階段に位置させて体重をかけたまま歩行できるようになる。
【００２７】
また「イ」を参照すると、地面に一定の幅のポットホールのような離隔された空間がある場合、隙間の前に位置した後、上部フレーム（１１０）および補助フレーム（１４０）の幅を調節することによって、前方支持台（２００）は、隙間の向こう側に位置するようにして、後方支持台（３００）は、隙間の前方に位置するようにして体重をかけたまま踏み越えることができようになる。
【００２８】
このように、本発明の歩行補助器は高さの調節はもちろん、幅の調節もできるように構成されているため、階段はもちろん地面に発生した屈曲した部分、即ち隙間の部分の歩行補助が可能になるなど、その用途が多様で利便性を最大化させる大きな利点がある有用な発明である。
【００２９】
前述した内容は、後述する発明の特許請求の範囲をより理解しやすいように、本発明の特徴と技術的利点を多少幅広く開設した。本発明の特許請求の範囲を構成する付加的な特徴と利点を以下で詳述する。開示された本発明の概念と特定の実施例は、本発明と同様の目的を遂行するための他の構造の設計や修正の基本として即時使用可能なことが、当該技術分野の熟練した人々によって認識されるべきである。
【００３０】
また、本発明で開示された発明の概念と実施例が、本発明の同じ目的を遂行するために他の構造に修正したり、設計するための基礎として、当該技術分野の熟練した人々によるそのような修正または変更された等価構造は、特許請求の範囲で記述した発明の思想や範囲を逸脱しない範囲内で多様な変化、置換および変更が可能である。
【符号の説明】
【００３１】
１００：支持フレーム
１１０：上部フレーム
１１２：第１上部バー
１１４：第２上部バー
１２０：前方フレーム
１２２：高さ調節穴
１３０：後方フレーム
１３２：高さ調節穴
１４０：補助フレーム
１４２：第１補助バー
１４３：幅調節穴
１４４：第２補助バー
１４５：突出棒
１４６：弾性スプリング
２００：前方支持台
２１０：支持脚
２２０：突出棒
２２２：弾性スプリング
３００：後方支持台
３１０：支持脚
【図１】
2018175824.tif 000003
【図２】
2018175824.tif 000004
【図３】
2018175824.tif 000005
【図４】
2018175824.tif 000006